(57)【特許請求の範囲】
【請求項１】
４本の縦折り線で内面側に折り曲げて左右両端の重ね代を重ねたとき、四角筒体を形成する第１プラスチックシート部と、第１プラスチックシート部との境界部の横折り線で内面側に折り曲げたとき、前記四角筒体に穴のある底板体を形成する第２プラスチックシート部とよりなる１枚の光透過性を有する中空構造のプラスチックシートと、このプラスチックシートの外面側に取り付けた、前記四角筒体を土中に立設した支持杭に固定するための紐，バンド等の結束部材とを備え、かつ前記第１プラスチックシート部の第２プラスチックシート部側の端部と第２プラスチックシート部のうち、少なくとも第２プラスチックシート部が黒色となっていることを特徴とするツリーシェルター。
【請求項２】
前記中空構造のプラスチックシートは、ポリプロピレン、またはポリカーボネートのコルゲート構造のシートである請求項１記載のツリーシェルター。
【発明の詳細な説明】
【０００１】
【発明の属する技術分野】
この発明は、苗木の成長促進とシカなどの草食獣による食害防止のために、苗木に被せて使用するツリーシェルターに関するものである。
【０００２】
【従来の技術】
（従来例１）
従来のツリーシェルターとしては、１９７９年時点で英国において開発され、製品化されているものがある。これは、筒状に成形した形状のもので、支持杭に紐，針金等で結び付けて使用する構造になっている。
【０００３】
このツリーシェルター（以下、従来例１のツリーシェルターという。）は、既に欧州で６００万本程度の使用実績があり、次の（１）〜（３）の効果があると評価されている。
【０００４】
（１）成長促進の働きがある。広葉樹で２〜５倍の促進効果がある。
【０００５】
（２）シカなどの草食獣からの食害を防ぐことができる。
【０００６】
（３）雑草による被圧の被害が少なく、下刈りの省力ができる。
【０００７】
しかし、従来例１のシェルターは、筒状となっているので、嵩張り、携帯に不便である。
【０００８】
（従来例２）
このような問題点を解決するものとして、実用新案登録番号第３００９５８５号の登録実用新案公報に開示されているものがある。
【０００９】
図４及び図５に示すツリーシェルター（以下、従来例２のシェルターという。）がそれである。
【００１０】
このツリーシェルター２１は、方形の半透明の樹脂製シート２２を縦折り線ａ〜ｆで折り曲げて糊代片２２ａで接着することによって断面六角形の筒状体とし、各辺面部の上下両端部に延設した折返片２３を内側に折り返してその先端の係止片２４を各辺面部の切欠部２５に係止することによって構成される。
【００１１】
図５は、このようにして組み立てたツリーシェルター２１を、土中に立設した支柱杭２６に紐２７で固定した状態を示す。
【００１２】
【発明が解決しようとする課題】
しかし、従来例２のシェルターにも、なお、次の（１）〜（３）の問題点がある。
【００１３】
（１）１枚の樹脂製シート２２を組み立てる構成になっているので、シート２２を折りたたんで携帯できるので便利である。しかし、組み立て構造が複雑で、組み立てに時間がかかり、現場における作業能率が悪い。
【００１４】
（２）樹脂製シート２２が薄いシート（フィルム）であるため、保温性，耐候性に劣る。
【００１５】
（３）雑草による被圧の被害は少なく、下刈りの省力は可能であるが、雑草抑えの面では不充分である。
【００１６】
（４）ツリーシェルター２１を支持杭２６に固定する場合、紐２７を両者２１，２６に、別に用意した紐を巻き付けるので、巻き付けに時間がかかり作業能率が悪い。
【００１７】
この発明は、このような従来の問題点を解決するためになされたもので、組み立てと支持杭への固定が簡単かつ容易であり、雑草の生育を抑制することができ、しかも保温性と耐候性に優れたツリーシェルターを提供することを目的とする。
【００１８】
【課題を解決するための手段】
この発明が提供するツリーシェルターは、４本の縦折り線で内面側に折り曲げて左右両端の重ね代を重ねたとき、四角筒体を形成する第１プラスチックシート部と、第１プラスチックシート部との境界部の横折り線で内面側に折り曲げたとき、前記四角筒体に穴のある底板体を形成する第２プラスチックシート部とよりなる１枚の光透過性を有する中空構造のプラスチックシートと、このプラスチックシートの外面側に取り付けた、前記四角筒体を土中に立設した支持杭に固定するための紐，バンド等の結束部材とを備え、かつ前記第１プラスチックシート部の第２プラスチックシート部側の端部と第２プラスチックシート部のうち、少なくとも第２プラスチックシート部が黒色となっているものである。
【００１９】
上記中空構造のプラスチックシートとしては、例えば、ポリプロピレン，ポリカーボネート等のコルゲート構造のシートを使用することができる。
【００２０】
【作用】
（１）この発明のツリーシェルターは、プラスチックシートを縦折り線と横折り線で折り曲げて苗木を囲い、重ね代を重ねて支持杭に結束部材で固定すれば、苗木に簡単に取り付けることができる。このとき、苗木の幹はツリーシェルターの底板体の穴を通る。
【００２１】
（２）この発明のツリーシェルターは、使用状態においては、苗木の周囲の地面がツリーシェルターの底板体によって覆われ、少なくとも底板体の部分が黒色になっているので、雑草の生育を抑えることができる。
【００２２】
（３）この発明のツリーシェルターは、中空構造のプラスチックシートでできているので、フィルム構造のものに比べ、保温性と耐候性に優れている。
【００２３】
【発明の実施の形態】
以下、この発明の実施の形態を実施例に基づき図面を参照しながら説明する。
【００２４】
図１は実施例のツリーシェルターＴの正面図、図２は図１のツリーシェルターＴの組み立て後の使用状態を示す斜視図、図３は図１の平面図である。
【００２５】
ツリーシェルターＴは、コルゲート構造のプラスチックシートＳと、これに取り付けたバンドＢとより構成されている。
【００２６】
プラスチックシートＳは、ポリプロピレン製で、図１に示すように、４本の平行な縦折り線ａ〜ｄで、ほぼ同じ幅で長さの同じ第１〜第５側板部１〜５に分画した方形の第１プラスチックシートＳ1 と、第２，第４側板部２，４との境界部の横折り線ｅ，ｆで分画した第２プラスチックシート部Ｓ2 ，Ｓ3 とより構成されている。両シート部Ｓ2 ，Ｓ3 は、後述するように、プラスチックシートＳを有底四角筒体に組み立てたとき、穴９のある底板体１０を形成する。１１は、その穴９を形成する切り込みである。上記第１側板部１と第５側板部５は、この発明にいう重ね代である。
【００２７】
縦折り線ａ〜ｄと横折り線ｅ，ｆは、プラスチックシートＳの内面側に設けた線状の浅い溝である。なお、これらの折り線は、折り癖をつけた線であってもよい。
【００２８】
バンドＢは、この発明にいう結束部材で、第１プラスチックシートＳ1 の第３側板部３の外面側にリベット９で、上，下２本取り付けられている。このバンドＢは、バンド本体６の一端に雌型バックル７、他端に雄型バックル８が取り付けられていて、後者８を前者７に差し込むことによって連結できる。バンド本体６の長さは、雄型バックル８部分でずらしながら調節できるようになっている。
【００２９】
第１プラスチックシート部Ｓ1 の第２プラスチックシート部Ｓ2 ，Ｓ3 側の端部と第２プラスチックシート部材Ｓ2 ，Ｓ3 は、黒色になっている。クロスハッチングで示す部分Ｋがそれである。プラスチックシートＳの透過光率は約５７％であり、その色は淡茶系である。
【００３０】
実施例のツリーシェルターＴを、図２，３のように、組み立てて支柱杭Ｐに取り付け、苗木Ｎを被覆する場合には、次の要領で行う。
【００３１】
まず、プラスチックシートＳを縦折り線ａ〜ｄと横折り線ｅ，ｆで折り曲げながら苗木Ｎを囲い、重ね代１，５を重ねて有底四角筒体とする。このとき、第２プラスチックシート部Ｓ2 ，Ｓ3 は、実施例では、図３に示すように、一部が重なった状態になる。
【００３２】
ついで、重ね代１，５側を、あらかじめ土中に立設した支柱杭Ｎにあてがい、バンドＢで固定する。バンドＢの締め付けは、雄型バックル８においてバンド本体６をずらしながら行う。
【００３３】
苗木ＮのツリーシェルターＴによる被覆状態においては、苗木Ｎの幹は第２プラスチックシートＳ2 ，Ｓ3 で形成される底板体１０の穴９を通る。そして、苗木Ｎの周囲の地面は底板体１０によって覆われる。
【００３４】
実施例のツリーシェルターＴは、構造が簡単で機能的であるので、上述のように、プラスチックシートＳを縦，横折り線ａ〜ｆで折り曲げて苗木Ｎに被せ、同シートＳに取り付けてあるバンドＢで支持杭Ｐに固定するという簡単な組み立て作業により、苗木Ｎのシェルターとして使用できる。このため、組み立てに時間がかからず、現場における作業能率がよい。
【００３５】
また、苗木Ｎの根元の地面を底板体１０で被覆し、筒状体の底板体１０側が黒色となっているので、雑草の生育を効果的に抑えることができる。
【００３６】
さらに、プラスチックシートＳが中空構造、すなわちコルゲート構造のシートであるので、保温性に優れ、苗木Ｎの生育に有効である。また、耐候性にも優れているので、通常３〜５年（苗木がツリーシェルターの高さ以上に育ち上る期間）の使用に耐える。
【００３７】
また、実施例の場合、プラスチックシートＳが淡茶色に着色されているので、環境との調和を図ることができ、景観を損ねるおそれがない。
【００３８】
なお、実施例では、プラスチックシートＳの材料として、ポリプロピレンを使用したが、例えば、ポリカーボネートを使用することもできる。また、連結部材としてバンドＢを使用したが、繊維製の紐，薄板金，針金などを使用してもよい。
【００３９】
【発明の効果】
以上説明したように、この発明によれば、上述のような構成としたので、次の（１）〜（３）の効果を奏する。
【００４０】
（１）組み立てと支持杭への固定が簡単かつ容易であるので、現場での作業能率が向上する。
【００４１】
（２）底板体で苗木の根元回りを被覆し、四角筒体の地面側が黒色となっているので、雑草の生育を抑えることができる。
【００４２】
（３）プラスチックシートとして中空構造のものを使用するので、保温性と耐候性に優れている。
【図面の簡単な説明】
【図１】  実施例のツリーシェルターの組み立て前の正面図
【図２】  図１のツリーシェルターの使用状態を示す斜視図
【図３】  図２のツリーシェルターの平面図
【図４】  従来のツリーシェルターの組み立て前の正面図
【図５】  図４のツリーシェルターの使用状態を示す斜視図
【符号の説明】
Ｔ  ツリーシェルター
Ｓ  プラスチックシート
Ｓ1   第１プラスチックシート
Ｓ2 ，Ｓ3   第２プラスチックシート
ａ〜ｄ  縦折り線
ｅ，ｆ  横折り線
Ｂ  バンド
Ｎ  苗木
Ｐ  支持杭
６  バンド本体
７  雌型バックル
８  雄型バックル
９  穴
１０  底板体
【図１】
0003725658.tif 000002
【図２】
0003725658.tif 000003
【図３】
0003725658.tif 000004
【図４】
0003725658.tif 000005
【図５】
0003725658.tif 000006